(57)【特許請求の範囲】
【請求項１】
放送波を受信する受信部と、
比較部を含む制御部と、
表示部と、
を備え、
前記比較部は、放送波の構成情報に含まれるアセットの中の映像アセットの数と表示領域数との比較と、放送波の構成情報に含まれるアセットの中の自受信装置が復号可能な映像アセットの数と表示領域数との比較との少なくともどちらか一方の比較をすることと、
前記比較の結果に基づいて、前記表示部の一部の領域に前記映像アセット以外の映像コンテンツを表示することと、
を特徴とする受信装置。  
【請求項２】
少なくとも１つの外部機器から前記映像アセット以外の映像コンテンツを取得する取得部を備えること、
を特徴とする請求項１に記載の受信装置。
【請求項３】
少なくとも１つの外部機器から前記映像アセット以外の映像コンテンツを取得する取得部と、
前記映像コンテンツを記憶する記憶部と、
を備え、
前記制御部は、前記外部機器又は前記記憶部から前記映像コンテンツを取得すること、
を特徴とする、請求項１に記載の受信装置。
【請求項４】
前記制御部は、前記表示部の一部の領域に納まるように前記映像コンテンツの表示サイズを調整すること、
を特徴とする請求項１に記載の受信装置。
【請求項５】
前記制御部は、前記表示部の全画面サイズに納まるように前記映像コンテンツのサイズを調整し、前記表示部の一部の領域に前記映像コンテンツの一部を表示させること、
を特徴とする請求項１に記載の受信装置。
【請求項６】
前記制御部は、前記表示部の一部の領域に表示させる前記映像コンテンツの表示部分を変更させること、
を特徴とする請求項１に記載の受信装置。
【請求項７】
前記制御部は、前記表示部の一部の領域とアスペクト比が同一である前記映像コンテンツを前記表示部の一部の領域に表示させること、
を特徴とする請求項１に記載の受信装置。
【請求項８】
放送波を受信する受信ステップと、
比較ステップを含む制御ステップと、
表示ステップと、
を有し、
前記比較ステップにおいて、放送波の構成情報に含まれるアセットの中の映像アセットの数と表示領域数との比較と、放送波の構成情報に含まれるアセットの中の自受信装置が復号可能な映像アセットの数と表示領域数との比較との少なくともどちらか一方の比較をすることと、
前記比較の結果に基づいて、前記表示ステップにおいて表示される領域の一部の領域に前記映像アセット以外の映像コンテンツを表示することと、
を特徴とする受信方法。
【請求項９】
コンピュータに、
放送波を受信する受信ステップと、
比較ステップを含む制御ステップと、
表示ステップと、
前記比較ステップにおいて、放送波の構成情報に含まれるアセットの中の映像アセットの数と表示領域数との比較と、放送波の構成情報に含まれるアセットの中の自受信装置が復号可能な映像アセットの数と表示領域数との比較との少なくともどちらか一方の比較をすることと、
前記比較の結果に基づいて、前記表示ステップにおいて表示される領域の一部の領域に前記映像アセット以外の映像コンテンツを表示することと、
を実行させるための、プログラム。
【発明の詳細な説明】
【技術分野】
【０００１】
本発明は、受信装置、受信方法、及びプログラムに関する。
【背景技術】
【０００２】
次世代テレビジョン放送サービスとして、４Ｋ（３８４０ｘ２１６０）超高解像度テレビジョン放送（ＵＨＤＴＶ；Ｕｌｔｒａ  Ｈｉｇｈ  Ｄｅｆｉｎｉｔｉｏｎ  Ｔｅｌｅｖｉｓｉｏｎ、以下、４Ｋ放送という）の試験放送が開始されている。さらに、８Ｋ（７６８０ｘ４３２０）超高解像度テレビジョン放送（以下、８Ｋ放送という）に関する研究開発が進められている。
【０００３】
このような４Ｋ・８Ｋ超高解像度テレビジョン放送において、伝送路符号化方式は、高度広帯域衛星デジタル放送方式（例えば、非特許文献１参照）を基本とすることが検討されている。また、４Ｋ・８Ｋ超高解像度テレビジョン放送において、多重化方式は、映像信号、音声信号等をＭＭＴ（ＭＰＥＧ  Ｍｅｄｉａ  Ｔｒａｎｓｐｏｒｔ）パケット化し、ＩＰ（Ｉｎｔｅｒｎｅｔ  Ｐｒｏｔｏｃｏｌ；インターネットプロトコル）パケットで伝送するＭＭＴ・ＴＬＶ（Ｔｙｐｅ  Ｌｅｎｇｔｈ  Ｖａｌｕｅ）多重化方式が検討されている（例えば、非特許文献１参照）。
【０００４】
高度広帯域衛星デジタル放送方式においては、上述したように、ＭＰＥＧで標準化されたメディアトランスポート方式であるＭＭＴを用いて実現される。ＭＭＴの制御情報を構成するＰＡ（Ｐａｃｋａｇｅ  Ａｃｃｅｓｓ）メッセージに格納される情報の一つにレイアウト設定テーブル（ＬＣＴ；Ｌａｙｏｕｔ  Ｃｏｎｆｉｇｕｒａｔｉｏｎ  Ｔａｂｌｅ）がある。レイアウト設定テーブルは、表示画面に提示する複数の表示領域とレイアウト番号とを対応付けるために用いられる。これにより、放送局は、指定した表示領域に指定したコンテンツを、視聴者のテレビ受信機において表示させることができるようになる。例えば、表示領域を左右２画面に分割し、それぞれの表示領域に８Ｋコンテンツ及び４Ｋコンテンツの映像と音声とを出力することも可能である。
【先行技術文献】
【非特許文献】
【０００５】
【非特許文献１】一般社団法人  電波産業会、”ＡＲＩＢ  ＳＴＤ−Ｂ６０  １．１版  デジタル放送におけるＭＭＴによるメディアトランスポート方式  標準規格”
【発明の概要】
【発明が解決しようとする課題】
【０００６】
上述したように、８Ｋコンテンツ及び４Ｋコンテンツの映像を示す映像データ、及び音声を示す音声データが放送局から送出された場合において、受信機のデコーダの能力によっては、受信した全てのデータをデコードできるとは限らない。例えば、受信機が、映像データをデコードするデコーダと音声データをデコードするデコーダとをそれぞれ１つずつしか備えていない場合である。また、例えば、デコーダが８Ｋコンテンツに対応していない場合、等である。このような場合には、少なくとも左右どちらかの表示領域だけにしか、映像及び音声を出力することができない。
【０００７】
本発明は上記の点に鑑みてなされたものであり、何も表示されなかった表示領域にも映像を表示させることができる受信装置、受信方法、及びプログラムを提供する。
【課題を解決するための手段】
【０００８】
（１）本発明は上記の課題を解決するためになされたものであり、本発明の一態様としては、放送波を受信する受信部と、比較部を含む制御部と、表示部と、を備え、前記比較部は、放送波の構成情報に含まれるアセットの中の映像アセットの数と表示領域数との比較と、放送波の構成情報に含まれるアセットの中の自受信装置が復号可能な映像アセットの数と表示領域数との比較との少なくともどちらか一方の比較をすることと、前記比較の結果に基づいて、前記表示部の一部の領域に前記映像アセット以外の映像コンテンツを表示することと、を特徴とする受信装置である。
【０００９】
（２）また、本発明の一態様としては、少なくとも１つの外部機器から前記映像アセット以外の映像コンテンツを取得する取得部を備えること、を特徴とする、（１）に記載の受信装置である。
【００１０】
（３）また、本発明の一態様としては、少なくとも１つの外部機器から前記映像アセット以外の映像コンテンツを取得する取得部と、前記映像コンテンツを記憶する記憶部と、を備え、前記制御部は、前記外部機器又は前記記憶部から前記映像コンテンツを取得すること、を特徴とする、（１）に記載の受信装置である。
【００１１】
（４）また、本発明の一態様としては、前記制御部は、前記表示部の一部の領域に納まるように前記映像コンテンツの表示サイズを調整すること、を特徴とする、（１）に記載の受信装置である。
【００１２】
（５）また、本発明の一態様としては、前記制御部は、前記表示部の全画面サイズに納まるように前記映像コンテンツのサイズを調整し、前記表示部の一部の領域に前記映像コンテンツの一部を表示させること、を特徴とする、（１）に記載の受信装置である。
【００１３】
（６）また、本発明の一態様としては、前記制御部は、前記表示部の一部の領域に表示させる前記映像コンテンツの表示部分を変更させること、を特徴とする、（１）に記載の受信装置である。
【００１４】
（７）また、本発明の一態様としては、前記制御部は、前記表示部の一部の領域とアスペクト比が同一である前記映像コンテンツを前記表示部の一部の領域に表示させること、を特徴とする、（１）に記載の受信装置である。
【００１５】
（８）また、本発明の一態様としては、放送波を受信する受信ステップと、比較ステップを含む制御ステップと、表示ステップと、を有し、前記比較ステップにおいて、放送波の構成情報に含まれるアセットの中の映像アセットの数と表示領域数との比較と、放送波の構成情報に含まれるアセットの中の自受信装置が復号可能な映像アセットの数と表示領域数との比較との少なくともどちらか一方の比較をすることと、前記比較の結果に基づいて、前記表示ステップにおいて表示される領域の一部の領域に前記映像アセット以外の映像コンテンツを表示することと、を特徴とする受信方法である。
【００１６】
（９）また、本発明の一態様としては、コンピュータに、放送波を受信する受信ステップと、比較ステップを含む制御ステップと、表示ステップと、前記比較ステップにおいて、放送波の構成情報に含まれるアセットの中の映像アセットの数と表示領域数との比較と、放送波の構成情報に含まれるアセットの中の自受信装置が復号可能な映像アセットの数と表示領域数との比較との少なくともどちらか一方の比較をすることと、前記比較の結果に基づいて、前記表示ステップにおいて表示される領域の一部の領域に前記映像アセット以外の映像コンテンツを表示することと、を実行させるための、プログラムである。
【発明の効果】
【００１７】
本発明によれば、放送波で受信する映像を表示することができない表示領域がある場合、放送波以外から取得する映像をその表示領域に表示させる。それにより、何も表示されなかった表示領域にも映像を表示させることができ、また、視聴の違和感を解消できる。
【図面の簡単な説明】
【００１８】
【図１】本発明の第１の実施形態に係る放送システム１の構成の一例を示す概略図である。
【図２】本発明の第１の実施形態に係る送信装置１１の構成の一例を示すブロック図である。
【図３】本発明の第１の実施形態に係る放送システム１が使用するプロトコルスタックの構造の一例を示す図である。
【図４】本発明の第１の実施形態に係る受信装置３１が受信するＭＰＴのデータ構造の一例を示す図である。
【図５】本発明の第１の実施形態に係る受信装置３１が受信するＬＣＴのデータ構造の一例を示す図である。
【図６】本発明の第１の実施形態に係る受信装置３１が受信するＭＰＵ表示領域指定記述子のデータ構造の一例を示す図である。
【図７】本発明の第１の実施形態に係る受信装置３１が表示する表示領域の設定例を示す図である。
【図８】本発明の第１の実施形態に係る受信装置３１が表示する表示領域の設定例を示す図である。
【図９】本発明の第１の実施形態に係る受信装置３１が表示する表示領域の設定例を示す図である。
【図１０】本発明の第１の実施形態に係る受信装置３１が設定するＭＰＵ表示領域指定記述子の設定例を示す図である。
【図１１】本発明の第１の実施形態に係る受信装置３１の構成の一例を示すブロック図である。
【図１２】本発明の第１の実施形態に係る制御部３３１の構成の一例を示すブロック図である。
【図１３】本発明の第１の実施形態に係る受信装置３１が表示する代替表示用映像選択画面の一例を示す概略図である。
【図１４】本発明の第１の実施形態に係る受信装置３１の動作の概要を示す概略図である。
【図１５】本発明の第１の実施形態に係る受信装置３１の動作の一例を示すフローチャートである。
【図１６】本発明の第３の実施形態に係る受信装置３１が表示する映像の一例を示す概略図である。
【図１７】本発明の第４の実施形態に係る受信装置３１が表示する映像の一例を示す概略図である。
【図１８】本発明の第５の実施形態に係る受信装置３１が表示する映像の一例を示す概略図である。
【図１９】本発明の第６の実施形態に係る受信装置３１が表示する映像の一例を示す概略図である。
【発明を実施するための形態】
【００１９】
（第１の実施形態）
本発明の第１の実施形態について、図面を参照しながら説明する。なお、以下の説明においては、本発明のデジタル放送受信装置を、単に「受信装置」という。
図１は、本発明の第１の実施形態に係る放送システムの構成の一例を示す概略図である。
第１の実施形態の放送システム１は、送信装置１１と、放送伝送路１２と、受信装置３１と、外部機器４１（４１Ａ、４１Ｂ）を含んで構成される。放送システム１において、送信装置１１と、受信装置３１との台数は、一般的にそれぞれ複数であるが、以下の説明においては、説明を容易にするため、送信装置１１と、受信装置３１との台数が、それぞれ１台である放送システム１の場合について説明する。
【００２０】
また、以下の説明では、放送システム１におけるデジタル放送のメディアトランスポート方式として、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（一般社団法人  電波産業会））ＳＴＤ−６０規格に記載のＭＭＴ（ＭＰＥＧ  Ｍｅｄｉａ  Ｔｒａｎｓｐｏｒｔ）方式（例えば、非特許文献１参照）が採用されている場合について説明する。
【００２１】
送信装置１１は、放送事業者等が有する放送設備を構成する。例えば、送信装置１１は、放送事業者等が放送波を送信するための電波送信基地局である。送信装置１１は、放送番組の内容を示す番組データ及び構成情報を、逐次、放送伝送路１２を介して受信装置３１へ送信する。番組データは、少なくとも映像データおよび音声データの一方のデータを含む。
【００２２】
放送伝送路１２は、送信装置１１が送信する各種のデータを、同時に多数の受信装置３１に対して、伝送する伝送路である。放送伝送路１２は、例えば、放送衛星１３で中継される所定の周波数であってもよい。なお、放送伝送路１２の一部には、通信回線が含まれてもよい。
【００２３】
受信装置３１は、送信装置１１から放送伝送路１２を介して放送波を受信する。受信装置３１は、放送波で伝送された番組データから、映像データと音声データと構成情報とを取得する。受信装置３１は、取得した映像データが示す映像を表示する。また、受信装置３１は、取得した音声データが示す音声（音声や音楽の音）を再生する。
例えば、受信装置３１は、テレビ受信機、映像記録装置（レコーダー）、またはスマートフォン、等である。なお、以下の説明では、受信装置３１において表示されることを主目的として伝送されるデータ（例えば、映像データ）が示す情報を「表示要素」と呼ぶことがある。
【００２４】
外部機器４１は、映像データが記憶されている機器である。図１の例示においては、外部機器４１Ａは、写真画像を示す映像データが記憶されているデジタルカメラである。また、外部機器４１Ｂは、録画された動画コンテンツを示す映像データが記憶されているＨＤＤ（Ｈａｒｄ  Ｄｉｓｃ  Ｄｒｉｖｅ）レコーダーである。
外部機器４１は、受信装置３１からの要求に基づいて、記憶している映像データを受信装置３１へ出力する。
【００２５】
なお、例えば、外部機器４１は、ＵＳＢ（Ｕｎｉｖｅｒｓａｌ  Ｓｅｒｅａｌ  Ｂｕｓ）メモリ等の記憶媒体であってもよい。その場合、記憶媒体には予め映像データが記憶される。また、例えば、外部機器４１は、通信ネットワークに接続するための通信デバイスであってもよい。その場合、通信デバイスは、通信ネットワークを介して映像データを取得し、受信装置３１へ出力する。
【００２６】
（送信装置の構成）
次に、送信装置１１の構成について説明する。
図２は、本発明の第１の実施形態に係る送信装置１１の構成の一例を示すブロック図である。
送信装置１１は、番組データ取得部１１１、構成情報取得部１１３、多重化部１１４、暗号化部１１５、及び送信部１１６を含んで構成される。
【００２７】
番組データ取得部１１１は、放送番組を構成する映像データと音声データとを取得する。
番組データ取得部１１１は、所定の映像符号化方式で符号化された映像データを取得する。例えば、所定の映像符号化方式は、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。
【００２８】
また、番組データ取得部１１１は、所定の音声符号化方式で符号化された音声データを取得する。例えば、所定の音声符号化方式は、ＩＳＯ／ＩＥＣ  １４４９６  Ｐａｒｔ３（単に、ＭＰＥＧ−４オーディオとも呼ばれる。なお、ＭＰＥＧはＭｏｖｉｎｇ  Ｐｉｃｔｕｒｅ  Ｅｘｐｅｒｔｓ  Ｇｒｏｕｐを略したものである。）で規定された音声符号化方式である。
【００２９】
番組データ取得部１１１は、取得した映像データ及び音声データから所定の形式の番組データを生成する。番組データ取得部１１１は、生成した番組データを多重化部１１４に出力する。例えば、所定の形式の番組データは、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ又は音声データが含まれる。
【００３０】
構成情報取得部１１３は、構成情報を取得する。構成情報とは、放送番組の構成要素、及び放送により提供されるサービスの構成要素について定義した情報である。すなわち、構成情報には、放送番組を構成する映像アセット及び音声アセットについて定義した情報が含まれる。例えば、映像アセット及び音声アセットについて定義した情報とは、映像アセット及び音声アセットのリストや、それぞれの映像アセット及び音声アセットの諸要件を定義した情報である。
【００３１】
構成情報は、所定の形式のデータで表される。例えば、所定の形式とは、ＭＭＴ−ＳＩ（ＭＭＴ−Ｓｙｓｔｅｍ  Ｉｎｆｏｒｍａｔｉｏｎ）である。構成情報には、ＭＰテーブル（ＭＰＴ；ＭＭＴ  Ｐａｃｋａｇｅ  Ｔａｂｌｅ）、レイアウト設定テーブル（ＬＣＴ；Ｌａｙｏｕｔ  Ｃｏｎｆｉｇｕｒａｔｉｏｎ  Ｔａｂｌｅ）が含まれる。ＭＰＴは、アセットのリスト等が記述されるデータである。ＬＣＴは、各アセットの表示領域を示す配置情報が記述されるデータである。構成情報取得部１１３は、取得した構成情報を多重化部１１４に出力する。ＭＰＴ、ＬＣＴのデータ構造については後述する。
【００３２】
多重化部１１４は、番組データ取得部１１１から入力された番組データと、構成情報取得部１１３から入力された構成情報と、を多重化して、所定の形式の多重化データを生成する。例えば、所定の形式の多重化データとは、ＴＬＶ（Ｔｙｐｅ  Ｌｅｎｇｔｈ  Ｖａｌｕｅ）パケットである。多重化部１１４は、生成した多重化データを暗号化部１１５に出力する。
【００３３】
暗号化部１１５は、多重化部１１４から入力された多重化データを所定の暗号化方式を用いて暗号化する。例えば、所定の暗号化方式とは、ＡＥＳ（Ａｄｖａｎｃｅｄ  Ｅｎｃｒｙｐｔｉｏｎ  Ｓｔａｎｄａｒｄ）やＭＵＬＴＩ２である。暗号化部１１５は、暗号化した多重化データを送信部１１６に出力する。
【００３４】
送信部１１６は、暗号化部１１５から入力された多重化データを、放送伝送路１２を介して受信装置３１へ送信する。ここで、送信部１１６は、ベースバンド信号である多重化データで所定の搬送周波数を有する搬送波を変調させる。送信部１１６は、搬送周波数に対応したチャンネル帯域の電波（放送波）をアンテナ（図示せず）により放射する。
【００３５】
＜ＭＭＴを用いるシステムのプロトコルスタックの構造の説明＞
以下に、ＭＭＴ（ＭＰＥＧ  Ｍｅｄｉａ  Ｔｒａｎｓｐｏｒｔ）を用いるシステムのプロトコルスタックの構造について説明する。
図３は、本発明の第１の実施形態に係る放送システム１が使用するプロトコルスタックの構造の一例を示す図である。
図３に示すように、放送システムに用いるプロトコルスタックは、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）、時刻情報、符号化された映像データ、符号化された音声データ、符号化された字幕データ、ＭＭＴ−ＳＩ、ＨＴＭＬ５規格で記述されたアプリケーション（単にアプリともいう）、ＥＰＧ（電子番組ガイド）、コンテンツダウンロードデータ等を含んで構成される。
【００３６】
放送番組の映像信号及び音声信号の符号はＭＦＵ（Ｍｅｄｉａ  Ｆｒａｇｍｅｎｔ  Ｕｎｉｔ）／ＭＰＵである。そして、ＭＦＵ／ＭＰＵは、ＭＭＴＰ（ＭＭＴ  Ｐｒｏｔｏｃｏｌ）ペイロードに乗せて送信装置１１によってＭＭＴＰパケット化され、ＩＰパケットで送信装置１１によって伝送される。データコンテンツの伝送は、データが送信装置１１によってＭＭＴＰパケット化され、ＩＰパケットで送信装置１１によって伝送される。
このように構成されたＩＰパケットは、放送伝送路１２を用いて放送される場合、ＴＬＶパケットの形式で送信装置１１によって伝送される。一つのＩＰパケット、あるいは一つのヘッダー圧縮したＩＰパケットは、一つのＴＬＶパケットで送信装置１１によって伝送する。
【００３７】
さらに、放送システム１に用いるプロトコルスタックでは、ＭＭＴ−ＳＩ、ＴＬＶ−ＳＩの２種類の制御情報が設けられている。ＭＭＴ−ＳＩとは、放送番組の構成などを示す制御情報である。ＭＭＴ−ＳＩでは、ＭＭＴの制御メッセージの形式とし、送信装置１１によってＭＭＴＰペイロードに乗せられてＭＭＴＰパケット化され、送信装置１１によってＩＰパケットで伝送される。ＴＬＶ−ＳＩとは、ＩＰパケットの多重に関する制御情報であり、選局のための情報やＩＰアドレスとサービスの対応情報を提供する。
【００３８】
また、ＴＭＣＣとは、伝送路上の信号の単位（スロット）ごとに変調方式やエラー訂正方式を指定する階層変調方式において、伝送フレームに挿入して伝送するこれらの制御情報である。ＨＥＶＣ（Ｈｉｇｈ  Ｅｆｆｉｃｉｅｎｃｙ  Ｖｉｄｅｏ  Ｃｏｄｉｎｇ）とは、映像信号の符号化の手法である。ＡＡＣ（Ａｄｖａｎｃｅｄ  Ａｕｄｉｏ  Ｃｏｄｉｎｇ）及びＡＬＳ（Ａｕｄｉｏ  Ｌｏｓｓｌｅｓｓ  Ｃｏｄｉｎｇ）とは、音声信号の符号化の手法である。ＵＤＰ／ＩＰ（Ｕｓｅｒ  Ｄａｔａｇｒａｍ  Ｐｒｏｔｏｃｏｌ／Ｉｎｔｅｒｎｅｔ  Ｐｒｏｔｏｃｏｌ）とは、通信に使われるプロトコルの１つである。ＴＬＶ（ＴＹＰＥ  ＬＥＮＧＴＨ  ＶＡＬＵＥ）とは、データの多重化手法の１つである。
ＴＬＶは、データの符号化をデータタイプ（Ｔｙｐｅ）、長さ（Ｌｅｎｇｔｈ）、値（Ｖａｌｕｅ）の３つで構成される。
【００３９】
＜ＭＭＴ−ＳＩの説明＞
以下に、ＭＭＴ−ＳＩ（ＭＭＴ−Ｓｙｓｔｅｍ  Ｉｎｆｏｒｍａｔｉｏｎ）について説明する。
ＭＭＴ−ＳＩには、メッセージ、テーブル、記述子が含まれている。
まずＭＭＴ−ＳＩのメッセージについて説明する。
メッセージには、ＰＡ（Ｐａｃｋａｇｅ  Ａｃｃｅｓｓ）メッセージ、Ｍ２セクションメッセージ、ＣＡ（Ｃｏｎｄｉｔｉｏｎａｌ  Ａｃｃｅｓｓ）メッセージ、Ｍ２短セクションメッセージ、データ伝送メッセージ、及び事業者が設定するメッセージが含まれる。ＰＡメッセージは、ＭＭＴ−ＳＩのエントリーポイントとなり、ＭＭＴ−ＳＩのテーブルを伝送する制御情報である。なお、ＰＡメッセージの識別子（以下、メッセージＩＤともいう）には、０ｘ００００が割り当てられている。
【００４０】
Ｍ２セクションメッセージは、ＭＰＥＧ−２  Ｓｙｓｔｅｍｓのセクション拡張形式を伝送する制御情報である。なお、Ｍ２セクションメッセージには、メッセージＩＤとして０ｘ８０００が割り当てられている。
【００４１】
ＣＡメッセージは、限定受信方式に関する情報を伝送する制御情報である。なお、限定受信によって受信される放送とは、放送事業者と視聴者とが視聴契約を結ばないと受信装置３１で視聴できない放送である。なお、ＣＡメッセージには、メッセージＩＤとして０ｘ８００１が割り当てられている。
【００４２】
Ｍ２短セクションメッセージは、ＭＰＥＧ−２  Ｓｙｓｔｅｍｓのセクション短形式を伝送する制御情報である。なお、Ｍ２セクションメッセージには、メッセージＩＤとして０ｘ８００２が割り当てられている。
【００４３】
データ伝送メッセージは、データ伝送に関するテーブルを伝送する制御情報である。なお、データ伝送メッセージには、メッセージＩＤとして０ｘ８００３が割り当てられている。
事業者が設定するメッセージは、放送事業者が設定する制御情報である。なお、事業者が設定するメッセージには、メッセージＩＤとして０ｘＥ０００−０ｘＥＦＦＦ、及び０ｘＦ８００−０ｘＦＦＦＦが割り当てられている。
【００４４】
次に、ＭＭＴ−ＳＩのテーブルのうち、本発明の第１の実施形態で使用するテーブルについて説明する。
テーブルには、ＭＰテーブル（ＭＰＴ；ＭＭＴ  Ｐａｃｋａｇｅ  Ｔａｂｌｅ）、レイアウト設定テーブル（ＬＣＴ；Ｌａｙｏｕｔ  Ｃｏｎｆｉｇｕｒａｔｉｏｎ  Ｔａｂｌｅ）等が含まれる。
【００４５】
（ＭＰＴのデータ構造）
以下に、ＭＰテーブル（ＭＰＴ）のデータ構造について説明する。なお、ＭＰＴはＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ；一般社団法人  電波産業会）が、非特許文献１において規定している標準規格である。
図４は、本発明の第１の実施形態に係る受信装置３１が受信するＭＰＴのデータ構造の一例を示す図である。
図４に示すように、ＭＰＴは、アセット毎にそれぞれアセットタイプ（ａｓｓｅｔ＿ｔｙｐｅ）と、アセット記述子領域（ａｓｓｅｔ＿ｄｅｓｃｒｉｐｔｏｒｓ＿ｂｙｔｅ）とを含む。
【００４６】
アセットタイプ（ａｓｓｅｔ＿ｔｙｐｅ）には、アセットの種類を示す符号が記述される。例えば、アセットタイプ（ａｓｓｅｔ＿ｔｙｐｅ）には、ＨＥＶＣで符号化された映像データを示すｈｃｖ１が記述される。また、例えば、アセットタイプ（ａｓｓｅｔ＿ｔｙｐｅ）には、ＭＰＥＧ−４オーディオで符号化された音声データを示すｍｐ４ａが記述される。
【００４７】
アセット記述子領域（ａｓｓｅｔ＿ｄｅｓｃｒｉｐｔｏｒｓ＿ｂｙｔｅ）は、アセット毎の記述子が記述される領域である。当該領域には、ＭＰＵ表示領域指定記述子（ＭＰＵ＿Ｐｒｅｓｅｎｔａｔｉｏｎ＿Ｒｅｇｉｏｎ＿Ｄｅｓｃｒｉｐｔｏｒ（））が記述されることがある。ＭＰＵ表示領域指定記述子は、ＭＰＵに格納される映像データの表示領域を指定するための記述子である。
【００４８】
なお、図４の「データ表記」の欄にあるｕｉｍｓｂｆとは、ｕｎｓｉｇｎｅｄ  ｉｎｔｅｇｅｒ  ｍｏｓｔ  ｓｉｇｎｉｆｉｃａｎｔ  ｂｉｔ  ｆｉｒｓｔの略であり、最上位ビットが先頭である符号無し整数を意味する。また、ｂｓｌｂｆとは、ｂｉｔ  ｓｔｒｉｎｇ  ｌｅｆｔ  ｂｉｔ  ｆｉｒｓｔの略であり、左ビットが先頭であるビット列を意味する。また、ｃｈａｒとは、ｃｈａｒａｃｔｅｒの略であり、主に文字コードを格納するために使用される固定長のデータを意味する。
【００４９】
（ＬＣＴのデータ構造）
以下に、レイアウト設定テーブル（ＬＣＴ）のデータ構造について説明する。なお、ＬＣＴも、ＭＰＴと同様に、ＡＲＩＢが、非特許文献１において規定している標準規格である。
図５は、本発明の第１の実施形態に係る受信装置３１が受信するＬＣＴのデータ構造の一例を示す図である。
【００５０】
ＬＣＴでは、１または複数の表示領域が指定される。ＬＣＴにおいて、レイアウト・デバイス数（ｎｕｍｂｅｒ＿ｏｆ＿ｌｏｏｐ）は、レイアウトとデバイスの組の数である。個々のレイアウトは、レイアウト番号（ｌａｙｏｕｔ＿ｎｕｍｂｅｒ）で指定される。例えば、「０」の値が記述されたレイアウト番号（ｌａｙｏｕｔ＿ｎｕｍｂｅｒ）はデフォルトのレイアウトを示し、「１」または「２」の値が記述されたレイアウト番号（ｌａｙｏｕｔ＿ｎｕｍｂｅｒ）は有効なレイアウトを示す。
【００５１】
出力先デバイスは、デバイスＩＤ（ｄｅｖｉｃｅ＿ｉｄ）で指定される。出力先デバイスは、表示要素を表示する機器、例えば、受信装置３１の表示部３１９（後述）である。「０」の値が記述されたデバイスＩＤ（ｄｅｖｉｃｅ＿ｉｄ）は、メインデバイスを示す。
【００５２】
領域数（ｎｕｍｂｅｒ＿ｏｆ＿ｒｅｇｉｏｎ）は、１つのレイアウトとデバイスの組における表示領域の数を示す。個々の表示領域は、領域番号（ｒｅｇｉｏｎ＿ｎｕｍｂｅｒ）で指定される。例えば、「０」の値が記述された領域番号（ｒｅｇｉｏｎ＿ｎｕｍｂｅｒ）は、デフォルトの表示領域を示す。表示領域は、その左上の位置及び右上の位置で指定される。左上の位置は、左上水平位置（ｌｅｆｔ＿ｔｏｐ＿ｐｏｓ＿ｘ）と左上垂直位置（ｌｅｆｔ＿ｔｏｐ＿ｐｏｓ＿ｙ）で指定される。右下の位置は、右下水平位置（ｒｉｇｈｔ＿ｄｏｗｎ＿ｐｏｓ＿ｘ）と右下垂直位置（ｒｉｇｈｔ＿ｄｏｗｎ＿ｐｏｓ＿ｙ）で指定される。なお、左上水平位置（ｌｅｆｔ＿ｔｏｐ＿ｐｏｓ＿ｘ）、右下水平位置（ｒｉｇｈｔ＿ｄｏｗｎ＿ｐｏｓ＿ｘ）として、それぞれ全表示領域の幅に対する百分率が記述される。同様に、左上垂直位置（ｌｅｆｔ＿ｔｏｐ＿ｐｏｓ＿ｙ）、右下垂直位置（ｒｉｇｈｔ＿ｄｏｗｎ＿ｐｏｓ＿ｙ）として、それぞれ全表示領域の高さに対する百分率が記述される。
また、ＬＣＴは、記述子領域（ｄｅｓｃｒｉｐｔｏｒ（））を含む。
【００５３】
次に、ＭＭＴ−ＳＩの記述子のうち、本発明の第１の実施形態で使用する記述子について説明する。
記述子には、ＭＰＵ表示領域指定記述子（ＭＰＵ＿Ｐｒｅｓｅｎｔａｔｉｏｎ＿Ｒｅｇｉｏｎ＿Ｄｅｓｃｒｉｐｔｏｒ（））等が含まれる。
【００５４】
（ＭＰＵ表示領域指定記述子のデータ構造）
次に、ＭＰＵ表示領域指定記述子（ＭＰＵ＿Ｐｒｅｓｅｎｔａｔｉｏｎ＿Ｒｅｇｉｏｎ＿Ｄｅｓｃｒｉｐｔｏｒ（））のデータ構造について説明する。なお、ＭＰＵ表示領域指定記述子も、ＭＰＴ及びＬＣＴと同様に、ＡＲＩＢが、非特許文献１において規定している標準規格である。
上述したように、ＭＰＵ表示領域指定記述子は、ＭＰＴに含まれるアセット記述子領域（ａｓｓｅｔ＿ｄｅｓｃｒｉｐｔｏｒｓ＿ｂｙｔｅ）に、アセット毎に記述される。
図６は、本発明の第１の実施形態に係る受信装置３１が受信するＭＰＵ表示領域指定記述子のデータ構造の一例を示す図である。
【００５５】
ＭＰＵ表示領域指定記述子は、ＭＰＵシーケンス番号（ｍｐｕ＿ｓｅｑｕｅｎｃｅ＿ｎｕｍｂｅｒ）、レイアウト番号（ｌａｙｏｕｔ＿ｎｕｍｂｅｒ）及び領域番号（ｒｅｇｉｏｎ＿ｎｕｍｂｅｒ）を含む。ＭＰＵシーケンス番号（ｍｐｕ＿ｓｅｑｕｅｎｃｅ＿ｎｕｍｂｅｒ）は、本記述子に含まれるレイアウト番号（ｌａｙｏｕｔ＿ｎｕｍｂｅｒ）、領域番号（ｒｅｇｉｏｎ＿ｎｕｍｂｅｒ）でそれぞれ指定されるレイアウト、表示領域に配置される表示要素（映像データ、文字データ）を格納するＭＰＵのシーケンス番号が記述される。従って、本記述子により、表示要素毎の表示領域が指定される。また、上述したように、例えば、レイアウト番号（ｌａｙｏｕｔ＿ｎｕｍｂｅｒ）によって、デフォルトの表示領域であるか、有効な表示領域であるか否かが指定される。
【００５６】
（表示領域の設定例）
次に、ＬＣＴによる表示領域の設定例について説明する。
図７、図８、及び図９は、本発明の第１の実施形態に係る受信装置３１が表示する表示領域の設定例を示す図である。
【００５７】
図７は、メインデバイスを出力デバイスとして設定された１個のデフォルトのレイアウトの設定例を示す。
図７（Ａ）に示すように、この例では、レイアウト・デバイス数（ｎｕｍｂｅｒ＿ｏｆ＿ｌｏｏｐ）、レイアウト番号（ｌａｙｏｕｔ＿ｎｕｍｂｅｒ）、デバイスＩＤ（ｄｅｖｉｃｅ＿ｉｄ）、領域数（ｎｕｍｂｅｒ＿ｏｆ＿ｒｅｇｉｏｎ）は、それぞれ「１」、「０」、「０」、「１」である。
また、領域番号（ｒｅｇｉｏｎ＿ｎｕｍｂｅｒ）「０」に係る表示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）として「０」、「０」、「１００」、「１００」と指定されている。
上述の指定は、デフォルトのレイアウトにおいてメインデバイスの表示領域全体が１個の表示領域であることを示す。領域番号（ｒｅｇｉｏｎ＿ｎｕｍｂｅｒ）「０」に係る表示領域は、図７（Ｂ）に例示する「領域０」の表示領域に相当する。
【００５８】
図８は、メインデバイスを出力デバイスとして設定された１個の有効なレイアウトの設定例を示す。
図８（Ａ）に示すように、この例では、レイアウト・デバイス数（ｎｕｍｂｅｒ＿ｏｆ＿ｌｏｏｐ）、レイアウト番号（ｌａｙｏｕｔ＿ｎｕｍｂｅｒ）、デバイスＩＤ（ｄｅｖｉｃｅ＿ｉｄ）、領域数（ｎｕｍｂｅｒ＿ｏｆ＿ｒｅｇｉｏｎ）は、それぞれ「１」、「１」、「０」、「３」である。３つの表示領域は、それぞれ領域番号（ｒｅｇｉｏｎ＿ｎｕｍｂｅｒ）「０」、「１」、「２」で識別される。
【００５９】
領域番号（ｒｅｇｉｏｎ＿ｎｕｍｂｅｒ）「０」に係る表示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）として「０」、「０」、「８０」、「８０」と指定されている。
領域番号（ｒｅｇｉｏｎ＿ｎｕｍｂｅｒ）「１」に係る表示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）として「８０」、「０」、「１００」、「１００」と指定されている。
領域番号（ｒｅｇｉｏｎ＿ｎｕｍｂｅｒ）「２」に係る表示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）として「０」、「８０」、「８０」、「１００」と指定されている。
【００６０】
領域番号（ｒｅｇｉｏｎ＿ｎｕｍｂｅｒ）「０」、「１」、「２」に係る表示領域は、図８（Ｂ）に例示する「領域０」、「領域１」、及び「領域２」それぞれの表示領域に相当する。なお、図８（Ｂ）に例示する「領域０」、「領域１」、及び「領域２」は、それぞれ互いに重ならない３つの表示領域である。
【００６１】
図９は、メインデバイスを出力デバイスとして設定された１個の有効なレイアウトの設定例を示す。
図９（Ａ）に示すように、この例では、レイアウト・デバイス数（ｎｕｍｂｅｒ＿ｏｆ＿ｌｏｏｐ）、レイアウト番号（ｌａｙｏｕｔ＿ｎｕｍｂｅｒ）、デバイスＩＤ（ｄｅｖｉｃｅ＿ｉｄ）、領域数（ｎｕｍｂｅｒ＿ｏｆ＿ｒｅｇｉｏｎ）は、それぞれ「１」、「２」、「０」、「３」である。３つの表示領域は、それぞれ領域番号（ｒｅｇｉｏｎ＿ｎｕｍｂｅｒ）「０」、「１」、「２」で識別される。
【００６２】
領域番号（ｒｅｇｉｏｎ＿ｎｕｍｂｅｒ）「０」に係る表示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）、レイヤー順序（ｌａｙｅｒ＿ｏｒｄｅｒ）として「０」、「０」、「１００」、「１００」、「０」と指定されている。
領域番号（ｒｅｇｉｏｎ＿ｎｕｍｂｅｒ）「１」に係る表示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）、レイヤー順序（ｌａｙｅｒ＿ｏｒｄｅｒ）として「８０」、「０」、「１００」、「１００」、「１」と指定されている。
領域番号（ｒｅｇｉｏｎ＿ｎｕｍｂｅｒ）「２」に係る表示領域は、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）、レイヤー順序（ｌａｙｅｒ＿ｏｒｄｅｒ）として「０」、「８０」、「８０」、「１００」、「１」と指定されている。
【００６３】
レイヤー順序（ｌａｙｅｒ＿ｏｒｄｅｒ）は、表示領域の奥行き方向の相対位置を示す。「０」は最後列に提示する領域を示し、数字が大きくなるほど、より前面の提示とする。
図９の例示においては、領域番号（ｒｅｇｉｏｎ＿ｎｕｍｂｅｒ）「０」に係る表示領域のレイヤー順序（ｌａｙｅｒ＿ｏｒｄｅｒ）は「０」である。また、領域番号（ｒｅｇｉｏｎ＿ｎｕｍｂｅｒ）「１」、「２」の表示領域に係るレイヤー順序（ｌａｙｅｒ＿ｏｒｄｅｒ）は「１」である。したがって、領域番号（ｒｅｇｉｏｎ＿ｎｕｍｂｅｒ）「１」、「２」の表示領域は、領域番号（ｒｅｇｉｏｎ＿ｎｕｍｂｅｒ）「０」に係る表示領域よりも前面にある表示領域である。よって、例えば、領域番号（ｒｅｇｉｏｎ＿ｎｕｍｂｅｒ）「０」に係る表示領域と、領域番号（ｒｅｇｉｏｎ＿ｎｕｍｂｅｒ）「１」に係る表示領域とが重なっている部分については、領域番号（ｒｅｇｉｏｎ＿ｎｕｍｂｅｒ）「１」に係る表示領域に表示される映像が表示されることになる。
【００６４】
領域番号（ｒｅｇｉｏｎ＿ｎｕｍｂｅｒ）「０」、「１」、「２」に係る表示領域は、図９（Ｂ）に例示する「領域０」、「領域１」、及び「領域２」それぞれの表示領域に相当する。なお、図９（Ｂ）に例示する「領域０」は、メインデバイスの表示領域全体である。また、図９（Ｂ）に例示する「領域１」、及び「領域２」は、「領域０」の前面に重なる表示領域である。
【００６５】
（ＭＰＵ表示領域指定記述子の設定例）
図１０は、本発明の第１の実施形態に係る受信装置３１が設定するＭＰＵ表示領域指定記述子の設定例を示す図である。
図１０（Ａ）は、図７において例示したデフォルトのレイアウトに対応する設定例を示す。本設定例では、レイアウト番号（ｌａｙｏｕｔ＿ｎｕｍｂｅｒ）、領域番号（ｒｅｇｉｏｎ＿ｎｕｍｂｅｒ）として、それぞれ「０」、「０」と指定されている。ＭＰＵシーケンス番号（ｍｐｕ＿ｓｅｑｕｅｎｃｅ＿ｎｕｍｂｅｒ）として、映像Ｖ０１に係るＭＰＵシーケンス番号が指定されている。
よって、レイアウト番号（ｌａｙｏｕｔ＿ｎｕｍｂｅｒ）、領域番号（ｒｅｇｉｏｎ＿ｎｕｍｂｅｒ）が、それぞれ「０」、「０」である表示領域には、映像Ｖ０１が割り当てられる。図７において例示したデフォルトのレイアウトはメインデバイスの表示領域全体が１個の表示領域である。したがって、メインデバイスの表示領域全体に映像Ｖ０１が表示（全画面表示）される。
【００６６】
図１０（Ｂ）は、図８において例示した有効なレイアウトに対応する設定例を示す。本設定例では、レイアウト番号（ｌａｙｏｕｔ＿ｎｕｍｂｅｒ）、領域番号（ｒｅｇｉｏｎ＿ｎｕｍｂｅｒ）として、それぞれ「１」、「０」の組、「１」、「１」の組、「１」、「２」の組が指定されている。ＭＰＵシーケンス番号（ｍｐｕ＿ｓｅｑｕｅｎｃｅ＿ｎｕｍｂｅｒ）として、「１」、「０」の組について映像Ｖ０１に係るＭＰＵシーケンス番号が、「１」、「１」の組について映像Ｖ０２に係るＭＰＵシーケンス番号が、「１」、「２」の組について映像Ｖ０３に係るＭＰＵシーケンス番号が、それぞれ指定されている。
【００６７】
よって、レイアウト番号（ｌａｙｏｕｔ＿ｎｕｍｂｅｒ）、領域番号（ｒｅｇｉｏｎ＿ｎｕｍｂｅｒ）が、それぞれ「１」、「０」である表示領域には、映像Ｖ０１が割り当てられる。
レイアウト番号（ｌａｙｏｕｔ＿ｎｕｍｂｅｒ）、領域番号（ｒｅｇｉｏｎ＿ｎｕｍｂｅｒ）が、それぞれ「１」、「１」である表示領域には、映像Ｖ０２が割り当てられる。
レイアウト番号（ｌａｙｏｕｔ＿ｎｕｍｂｅｒ）、領域番号（ｒｅｇｉｏｎ＿ｎｕｍｂｅｒ）が、それぞれ「１」、「２」である表示領域には、映像Ｖ０３が割り当てられる。
なお、図１０（Ｂ）のＭＰＵシーケンス番号（ｍｐｕ＿ｓｅｑｕｅｎｃｅ＿ｎｕｍｂｅｒ）の欄に記載された符号「Ｖ０１」、「Ｖ０２」、「Ｖ０３」は、いずれも説明の目的で記載したものである。これらの符号は、実際にはＭＰＵシーケンス番号（ｍｐｕ＿ｓｅｑｕｅｎｃｅ＿ｎｕｍｂｅｒ）として指定されない。
【００６８】
（受信装置の構成）
次に、受信装置３１の構成について説明する。
図１１は、本発明の第１の実施形態に係る受信装置３１の構成の一例を示すブロック図である。
【００６９】
受信装置３１は、受信部３１１、復号部３１２、分離部３１３、音声復号部３１４、再生部３１６、映像復号部３１７（３１７Ａ、３１７Ｂ）、映像合成部３１８、表示部３１９、記憶部３２２、操作入力部３２３、外部接続部３２４、及び制御部３３１を含んで構成される。
【００７０】
受信部３１１（チューナー）は、送信装置１１が送信した放送波を、放送伝送路１２を介してアンテナ（図示せず）により受信する。受信部３１１は、受信した受信信号を制御部３３１から入力される選局信号で指定されるチャンネルの周波数でベースバンド信号にダウンコンバートすることにより多重化データに変換する。受信部３１１は、変換した多重化データを復号部３１２に出力する。
【００７１】
復号部３１２は、受信部３１１から入力された多重化データ（暗号化されている）を、送信装置１１の暗号化部１１５で用いられた方式に対応する復号方式（例えば、ＡＥＳ）で復号し、復号された多重化データを生成する。復号部３１２は、生成した多重化データを分離部３１３に出力する。
【００７２】
分離部３１３は、復号部３１２から入力された復号後の多重化データから番組データ及び構成情報に分離する。分離部３１３は、構成情報を制御部３３１に出力する。また、分離部３１３は、番組データから音声データと映像データとを抽出する。分離部３１３は、抽出した音声データを音声復号部３１４に出力する。また、分離部３１３は、抽出した映像データを映像復号部３１７Ａ及び３１７Ｂまたはそのいずれか一方に出力する。
【００７３】
音声復号部３１４には、分離部３１３から音声データが入力される。音声復号部３１４は、入力された音声データを復号する。復号は、符号化に用いられた符号化方式と対応する復号方式によってなされる。それによって、音声復号部３１４は、元の音声データを生成する。復号した音声データは、各時刻における音声のレベルを示すデータである。例えば、符号化に用いられる符号化方式とは、ＭＰＥＧ−４  オーディオである。音声復号部３１４は、復号した音声データを再生部３１６へ出力する。
再生部３１６は、音声復号部３１４から入力された音声データに基づく音声を再生する。例えば、再生部３１６は、スピーカーを含んで構成される。
【００７４】
映像復号部３１７には、分離部３１３から映像データが入力される。映像復号部３１７は、入力された映像データを復号する。復号は、符号化に用いられた符号化方式と対応する復号方式によってなされる。それによって、映像復号部３１７は、元の映像データを生成する。復号した映像データは、各時刻における映像（フレーム画像）を形成する信号値を示すデータである。例えば、符号化に用いられる符号化方式とは、ＨＥＶＣ、ＭＰＥＧ−２  ビデオである。映像復号部３１７は、復号した映像データを映像合成部３１８へ出力する。
【００７５】
映像合成部３１８には、映像復号部３１７から映像データが入力される。また、映像合成部３１８には、制御部３３１から表示領域情報が入力される。映像合成部３１８は、映像データに基づく映像を、表示領域情報で指定される表示領域に配置することにより、表示用の映像（表示映像）を合成する。映像合成部３１８は、合成した表示映像を示す表示映像データを表示部３１９へ出力する。
【００７６】
なお、制御部３３１から映像合成部３１８へ、代替表示用の映像データが入力される場合がある。その場合、映像合成部３１８は、代替表示用の映像データに基づく映像を、表示領域情報によって指定される表示領域に配置する。なお、制御部３３１は、代替表示用の映像データを、外部接続部３２４または記憶部３２２から取得する。
【００７７】
また、制御部３３１から映像合成部３１８へ、各種の画像（例えば、通知画像、設定メニュー画面、等）を示す画像データが入力される場合がある。その場合、映像合成部３１８は、入力された画像データが示す画像を上述の表示映像にさらに重ね合わた表示映像を生成する。
【００７８】
表示部３１９は、映像合成部３１８から入力された映像データに基づく映像を表示する。例えば、表示部３１９は、液晶ディスプレイ、有機ＥＬ（Ｅｌｅｃｔｒｏｌｕｍｉｎｅｓｃｅｎｃｅ）ディスプレイ、等を含んで構成される。表示部３１９は、表示領域情報によって指定された表示領域のレイアウトに基づいて、表示領域情報によって指定された映像をそれぞれの表示領域に表示する。
【００７９】
記憶部３２２は、各種のデータやプログラムを記憶する。例えば、記憶部３２２には、代替表示用の映像データ、通知画像データ、等を予め記憶させておく。記憶部３２２は、記憶媒体である。例えば、記憶部３２２は、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００８０】
操作入力部３２３は、受信装置３１の利用者による操作入力を受け付ける。操作入力部３２３は、受け付けた操作入力に基づいて生成される操作信号を生成する。操作入力部３２３は、生成した操作信号を制御部３３１へ出力する。
例えば、操作入力部３２３が生成する操作信号とは、電源のオン／オフを示す信号、放送波のチャンネルを示す信号、等である。操作入力部３２３は、例えば、操作ボタン、リモートコントローラー、携帯端末、等から操作信号を受信する入力インターフェース、等である。
【００８１】
外部接続部３２４は、代替表示用の映像データを取得するためのインターフェースである。外部接続部３２４には、外部機器４１から代替表示用の映像データが入力される。例えば、外部接続部３２４は、ＵＳＢ（Ｕｎｉｖｅｒｓａｌ  Ｓｅｒｅａｌ  Ｂｕｓ）接続端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ；高精細度マルチメディアインターフェース）接続端子、及びネットワーク接続用の通信インターフェース、等である。
【００８２】
図１１の例示においては、外部接続部３２４は、外部機器４１Ａ及び外部機器４１Ｂの２つの外部機器と接続している。
外部接続部３２４は、制御部３３１によって指定された外部機器４１（４１Ａまたは４１Ｂ）から、代替表示用の映像データを取得する。外部接続部３２４は取得した映像データを制御部３３１へ出力する。
【００８３】
制御部３３１は、コンピュータ（ＣＰＵ）を含む。制御部３３１は、記憶部に格納されたソフトウェア（プログラム）を実行する。それによって、制御部３３１は、受信装置３１の種々の動作を制御する。
例えば、制御部３３１は、分離部３１３から構成情報を取得する。制御部３３１は、取得した構成情報から、映像データのリストと、配置情報とを抽出する。配置情報は、映像データに基づく映像それぞれの表示領域を示す。制御部３３１は、映像毎の表示領域を示す表示領域情報を映像合成部３１８に出力する。
例えば、制御部３３１は、取得した構成情報を解析した結果に基づいて代替表示用の映像データを外部機器４１から取得する。制御部３３１は、取得した代替表示用の映像データを映像合成部３１８へ出力する。
【００８４】
（制御部の構成）
次に、制御部３３１の構成について更に詳しく説明する。
図１２は、本発明の第１の実施形態に係る制御部３３１の構成の一例を示すブロック図である。
制御部３３１は、配置情報取得部３３１１、比較部３３１２、、出力制御部３３１３、外部入力制御部３３１４、通知制御部３３１５、及び選局制御部３３１６を含んで構成される。
【００８５】
配置情報取得部３３１１には、分離部３１３から入力された構成情報からＭＰＴ及びＬＣＴを抽出する。配置情報取得部３３１１は、抽出したＭＰＴ及びＬＣＴを解析して表示要素（映像）と表示要素毎の表示領域を特定する。
具体的には、配置情報取得部３３１１は、ＬＣＴに記述されたレイアウト番号（ｌａｙｏｕｔ＿ｎｕｍｂｅｒ）、デバイスＩＤ（ｄｅｖｉｃｅ＿ｉｄ）及び領域番号（ｒｅｇｉｏｎ＿ｎｕｍｂｅｒ）の組毎に表示領域として、左上水平位置（ｌｅｆｔ＿ｔｏｐ＿ｐｏｓ＿ｘ）、左上垂直位置（ｌｅｆｔ＿ｔｏｐ＿ｐｏｓ＿ｙ）、右下水平位置（ｒｉｇｈｔ＿ｄｏｗｎ＿ｐｏｓ＿ｘ）、右下垂直位置（ｒｉｇｈｔ＿ｄｏｗｎ＿ｐｏｓ＿ｙ）を特定する。
配置情報取得部３３１１は、デバイスＩＤ（ｄｅｖｉｃｅ＿ｉｄ）により、出力先として、例えば、表示部３１９に接続された映像合成部３１８を特定する。
【００８６】
他方、配置情報取得部３３１１は、分離部３１３から入力された構成情報のうちＭＰＴのアセット記述子領域に記述されたＭＰＵ表示領域指定記述子（ＭＰＵ＿Ｐｒｅｓｅｎｔａｔｉｏｎ＿Ｒｅｇｉｏｎ＿Ｄｅｓｃｒｉｐｔｏｒ（））を検出する。配置情報取得部３３１１は、検出したＭＰＵ表示領域指定記述子からレイアウト番号（ｌａｙｏｕｔ＿ｎｕｍｂｅｒ）及び領域番号（ｒｅｇｉｏｎ＿ｎｕｍｂｅｒ）の組毎に、表示要素を示すデータ（映像データ）を格納したＭＰＵのＭＰＵシーケンス番号（ｍｐｕ＿ｓｅｑｕｅｎｃｅ＿ｎｕｍｂｅｒ）を特定する。配置情報取得部３３１１は、レイアウト番号（ｌａｙｏｕｔ＿ｎｕｍｂｅｒ）及び領域番号（ｒｅｇｉｏｎ＿ｎｕｍｂｅｒ）の組で特定される表示要素毎の表示領域を示す表示領域情報を出力制御部３３１３に出力する。表示領域情報には、表示要素毎にレイアウト番号（ｌａｙｏｕｔ＿ｎｕｍｂｅｒ）で表される提示属性情報（例えば、デフォルト、有効、等の区別）が含まれる。
配置情報取得部３３１１は、上記の解析によって得られる、表示要素（映像）と表示要素毎の表示領域とを示す情報を、比較部３３１２へ出力する。
【００８７】
比較部３３１２は、配置情報取得部３３１１から取得した表示要素（映像アセット）と表示要素毎の表示領域を示す情報に基づいて、以下の比較処理を行う。
比較部３３１２は、表示要素（映像アセット）数と表示領域数とを比較する。例えば、もし表示要素数よりも表示領域数が多いならば、表示要素が割り当てられていない表示領域（すなわち、映像が表示されない表示領域）が存在することになる。
【００８８】
また、比較部３３１２は、自らの受信装置３１の復号能力（例えば、映像復号部３１７の数、及び性能など）の制限によって、入力される全ての映像アセットが復号可能であるかを判定する。すなわち、この一例においては、比較部３３１２は、表示要素（映像アセット）を復号することが可能な映像復号部３１７（３１７Ａ、３１７Ｂ）の数と、表示要素数（映像アセット数）とを比較する。例えば、比較部３３１２が配置情報取得部３３１１から取得した情報において、表示領域数が２であり、それぞれの表示領域に８Ｋ映像を示す表示要素（映像アセット）が対応付けられていたとする。また、受信装置３１が備える映像復号部３１７は２つであり、映像復号部３１７Ａは８Ｋ映像の復号が可能であるが、映像復号部３１７Ｂは８Ｋ映像の復号が不可能であるとする。その場合には、映像復号部３１７Ｂは映像データを復号することができないため、映像が表示されない表示領域が存在することになる。
【００８９】
また、例えば、比較部３３１２が配置情報取得部３３１１から取得した情報において、表示領域数が３であり、それぞれの表示領域にいずれも４Ｋ映像を示す映像アセット（表示要素）が対応付けられていたとする。また、受信装置３１が備える映像復号部３１７は２つであり、映像復号部３１７Ａ及び映像復号部３１７Ｂのいずれも４Ｋ映像の復号が可能であるとする。その場合には、映像復号部３１７Ａ及び映像復号部３１７Ｂは、どの映像アセットの復号も可能である。しかしながら、映像アセット数が３であるのに対し、映像復号部３１７の数が２つであり１つ不足していることから、映像復号部３１７は３つの映像アセットのうち１つを復号することができない。したがって、映像が表示されない表示領域が存在することになる。
【００９０】
比較部３３１２は、配置情報取得部３３１１から取得した表示要素（映像）と表示要素毎の表示領域を示す情報、及び上記の比較結果に基づく情報を、出力制御部３３１３へ出力する。上記の比較結果に基づく情報には、放送波で受信する映像を表示することができない表示領域の数と、放送波で受信する映像を表示することができない表示領域の表示位置及び表示サイズを示す情報等が含まれる。
【００９１】
放送波で受信する映像を表示することができない表示領域が存在する場合において、第１の実施形態に係る受信装置３１は、外部機器４１または記憶部３２２に予め記憶された代替表示用の映像データに基づく映像を、代わりにその表示領域に配置することができる。
【００９２】
放送波で受信する映像を表示することができない表示領域が存在する場合、出力制御部３３１３は、利用可能な外部機器を示す情報を外部入力制御部３３１４から取得する。利用可能な外部機器４１とは、予め代替表示用の映像データが記憶された外部機器である。
出力制御部３３１３は、利用可能な外部機器４１を示す情報を通知制御部３３１５へ出力する。
【００９３】
通知制御部３３１５は取得した利用可能な外部機器４１を示す情報に基づいて、代替表示用映像選択画面を示す画像を生成する。代替表示用映像選択画面とは、代替表示用の映像データを取得する外部機器４１または記憶部３２２を、受信装置３１のユーザーによって選択させるためのメニュー画面である。通知制御部３３１５は生成した代替表示用映像選択画面を示す画像を、映像合成部３１８へ出力する。
【００９４】
図１３は、本発明の第１の実施形態に係る受信装置３１が表示する代替表示用映像選択画面の一例を示す概略図である。図１３に示す代替表示用映像選択画面には、「ＵＳＢメモリ」、「外部入力１」、「外部入力２」、及び「静止画」の文字列が表示されている。本例示における受信装置３１には、ＵＳＢ接続端子にＵＳＢメモリが接続され、２つの外部入力端子にそれぞれ外部機器が接続されていることを示す。そして、ＵＳＢメモリ及び各外部機器には、予め代替表示用の映像データが記憶されており、利用可能な状態であることを示す。また記憶部３２２には、予め代替表示用の映像データ（静止画）が記憶されており利用可能な状態であることを示す。
【００９５】
通知制御部３３１５は、操作入力部３２３を介して、ユーザーによって代替表示用映像選択画面にて選択された外部機器４１または記憶部３２２を示す情報を取得する。通知制御部３３１５は、ユーザーによって代替表示用映像選択画面にて選択された外部機器４１または記憶部３２２を示す情報を、出力制御部３３１３へ出力する。
【００９６】
出力制御部３３１３は、通知制御部３３１５から入力された上記の情報に従って、ユーザーによって選択された外部機器４１または記憶部３２２から代替表示用の映像データを取得する。
出力制御部３３１３は、代替表示用の映像データに基づく映像を、放送波で受信した映像を表示することができない表示領域に代わりに表示させることを示す情報を、映像合成部３１８へ出力する。
【００９７】
選局制御部３３１６は、操作入力部３２３から入力された操作信号により放送波を受信するチャンネルを選択する。選局制御部３３１６は、選択したチャンネルを示す選局信号を受信部３１１に出力する。
【００９８】
図１４は、本発明の第１の実施形態に係る受信装置３１の動作の概要を示す概略図である。
図１４に示すＭＰＴには、４つのアセット（音声アセットまたは映像アセット）が含まれていることが示されている。図１４において、アセットＩＤが「１」、「３」、及び「４」であるアセットは、映像アセットである。また、アセットＩＤが「２」であるアセットは、音声アセットである。
【００９９】
本実施例において、受信装置３１は、３つのデコーダ（復号部）を備える。３つのデコーダのうち、２つは映像データを復号するための映像デコーダ、１つは音声データを復号するための音声デコーダである。
このとき、出力制御部３３１３は、例えばアセットＩＤの値が小さいアセットから順番に、デコーダに割り当てる。すなわち、まず、アセットＩＤが「１」の映像アセットが１つ目の映像デコーダに割り当てられる。次に、アセットＩＤが「２」の音声アセットが音声デコーダに割り当てられる。次に、アセットＩＤが「３」の映像アセットが２つ目の映像デコーダに割り当てられる。
【０１００】
以上により、受信装置３１が備える３つのデコーダの全てにアセットが割り当てられる。したがって、ＭＰＴにおいて「領域２（ｒｅｇｉｏｎ＿ｎｕｍｂｅｒ＝２）」に指定されているアセットＩＤが「４」の映像アセットを、受信装置３１はデコードすることができない。映像アセットの数に対し、映像デコーダの数が不足しているからである。
このような場合において、受信装置３１は、放送波から取得する映像を表示することができない「領域２」に対し、外部機器等から取得する代替表示用の映像データを表示させる。
【０１０１】
（受信装置の動作）
次に受信装置３１の動作について説明する。
図１５は、本発明の第１の実施形態に係る受信装置３１の動作の一例を示すフローチャートである。
本フローチャートは、送信装置１１が送信する放送波を放送伝送路１２を介して、受信部３１１が受信した後に処理が開始される。
【０１０２】
（ステップＳ１０１）分離部３１３は、復号部３１２で復号された多重化データから構成情報を検出し、検出した構成情報を分離する。分離部３１３は、分離した構成情報を、制御部３３１の配置情報取得部３３１１へ出力する。その後ステップＳ１０２へ進む。
【０１０３】
（ステップＳ１０２）配置情報取得部３３１１は、取得した構成情報から、ＬＣＴ及びＭＰＴを抽出して解析する。配置情報取得部３３１１は、解析によって得られる、表示要素（映像アセット）と表示要素毎の表示領域とを示す情報を、比較部３３１２へ出力する。その後、ステップＳ１０３へ進む。
【０１０４】
（ステップＳ１０３）比較部３３１２は、配置情報取得部３３１１から取得した情報に基づいて、表示要素数（映像アセット数）と表示領域数とを比較する。表示領域数が映像アセット数と同じ、表示領域数が映像アセット数よりも少ないならば、ステップＳ１０４へ進む。そうでない場合（表示領域数が映像アセット数よりも多い場合）には、ステップＳ１０６へ進む。
【０１０５】
（ステップＳ１０４）比較部３３１２は、自らの受信装置３１の復号能力（例えば、映像復号部３１７の数、及び性能など）の制限によって、入力される全ての映像アセットが復号可能であるかを判定する。すなわち、この一例においては、比較部３３１２は、配置情報取得部３３１１から取得した情報に基づいて、表示要素（映像アセット）を復号可能な映像復号部３１７（３１７Ａ、３１７Ｂ）の数と、表示要素数（映像アセット数）を比較する。
復号可能な映像復号部３１７の数が表示要素数（映像アセット数）と同じか、復号可能な映像復号部３１７の数が表示要素数（映像アセット数）よりも多い場合には、ステップＳ１０５へ進む。そうでない場合（すなわち、復号可能な映像復号部３１７の数が表示要素数（映像アセット数）よりも少ない場合）には、ステップＳ１０６へ進む。
【０１０６】
（ステップＳ１０５）出力制御部３３１３は、ＬＣＴによって示される全ての表示領域に、ＭＰＵ提示領域指定記述子によって各表示領域に対応付けられたそれぞれの映像を表示させる。以上で、本フローチャートの処理を終了する。
【０１０７】
（ステップＳ１０６）出力制御部３３１３は、利用可能な外部機器をサーチする。その後ステップＳ１０７へ進む。
【０１０８】
（ステップＳ１０７）出力制御部３３１３がサーチした結果に基づいて、通知制御部３３１５は、外部機器の一覧からユーザーが選択できるよう、選択画面を提示する。操作入力部３２３は、ユーザーからの操作入力を受けて、選択された外部機器を示す情報を出力制御部３３１３に出力する。出力制御部３３１３は入力された情報に基づいて、代替表示用の映像データを取得する外部機器を決定する。その後、ステップＳ１０８へ進む。
【０１０９】
（ステップＳ１０８）出力制御部３３１３は、放送波による映像を表示可能な表示領域には放送波による映像を表示させる。出力制御部３３１３は、放送波による映像を表示不可能な表示領域にはユーザーによって選択された外部機器から取得する代替表示用の映像を表示させる。以上で、本フローチャートの処理を終了する。
【０１１０】
以上、説明したように、本発明の第１の実施形態に係る受信装置３１によれば、放送局から送出されたレイアウト設定テーブル（ＬＣＴ）に基づく表示領域に指定された映像や音声を、受信機の性能の制限により画面に出力できない場合でも、その領域に外部機器からの映像を出力させることができる。
【０１１１】
（第２の実施形態）
第１の実施形態においては、表示領域情報において、受信装置３１が備える映像復号部３１７の数より多くの表示領域の数が指定されていた場合に、受信装置３１は、代替表示用の映像データに基づく映像を、外部機器４１または記憶部３２２から取得した。
第２の実施形態においては、受信装置３１が備える映像復号部３１７の性能が、受信した映像データを復号する能力を有していない場合に、受信装置３１は、代替表示用の映像データに基づく映像を、外部機器４１または記憶部３２２から取得する。
【０１１２】
例えば、受信装置３１が放送波から取得する映像データの１つが８Ｋコンテンツの映像であったとする。また、受信装置３１が備える映像復号部３１７は、８Ｋコンテンツの映像を復号する能力を有していないとする。その場合、表示領域情報によって指定される、８Ｋコンテンツの映像を表示する表示領域には、映像が表示されないことになる。そのような場合において、第２の実施形態に係る受信装置３１は、代替表示用の映像データに基づく映像を、外部機器４１または記憶部３２２から取得して表示する。本実施形態によれば、受信装置３１が高解像度の例えば８Ｋコンテンツに対応していない場合にも、映像を表示できる。
【０１１３】
（第３の実施形態）
第３の実施形態においては、受信装置３１が代替表示用の映像データを、外部機器４１または記憶部３２２から取得した場合、出力制御部３３１３は、取得した映像データに基づく映像のサイズを表示領域のサイズに合わせるようにサイズ調整をする。
図１６は、本発明の第３の実施形態に係る受信装置３１が表示する映像の一例を示す概略図である。
【０１１４】
図１６の例示では、外部機器４１に記憶されている映像データに基づく映像の垂直方向の長さが、表示領域（領域２）の垂直方向の長さよりも長い。よって、制御部３３１の出力制御部３３１３は、映像データに基づく映像の垂直方向の長さを、表示領域（領域２）の垂直方向の長さに等しくなるように縮小する。それにより、映像データに基づく映像のの全体が、表示領域（領域２）の中に表示されることになる。
上述したように、第３の実施形態に係る受信装置３１の制御部３３１は、配置情報に基づく表示領域に収まるように第３の映像コンテンツ（代替表示用の映像データに基づく映像）の表示サイズを調整することができる。
【０１１５】
（第４の実施形態）
第４の実施形態においては、受信装置３１が代替表示用の映像データを、外部機器４１または記憶部３２２から取得した場合、出力制御部３３１３は、取得した映像データに基づく映像のサイズを、表示部３１９に全画面表示されるサイズになるようにサイズ調整をする。
図１７は、本発明の第４の実施形態に係る受信装置３１が表示する映像の一例を示す概略図である。
【０１１６】
図１７の例示では、外部機器４１に記憶されている映像データに基づく映像の垂直方向の長さまたは水平方向の長さが、それぞれ表示部３１９の全画面の垂直方向の長さまたは水平方向の長さよりも短い。よって、制御部３３１の出力制御部３３１３は、映像データに基づく映像の垂直方向の長さ及び水平方向の長さを、全画面の垂直方向の長さ及び水平方向の長さに等しくなるように拡大する。そして、出力制御部３３１３は、拡大した映像のうち表示領域（領域２）の部分のみを表示させる。
上述したように、第４の実施形態に係る受信装置３１の制御部３３１は、全画面サイズと等しくなるように第３の映像コンテンツ（代替表示用の映像データに基づく映像）のサイズを調整し、配置情報に基づく表示領域に第３の映像コンテンツ（代替表示用の映像データに基づく映像）の一部を表示させることができる。
【０１１７】
（第５の実施形態）
第５の実施形態においては、受信装置３１が代替表示用の映像データを、外部機器４１または記憶部３２２から取得した場合、出力制御部３３１３は、取得した映像データに基づく映像を、サイズ調整せずに指定された表示領域に表示させる。
図１８は、本発明の第４の実施形態に係る受信装置３１が表示する映像の一例を示す概略図である。
【０１１８】
図１８の例示では、外部機器４１に記憶されている映像データに基づく映像の垂直方向の長さが、表示領域（領域２）の垂直方向の長さよりも長い。そのため、代替表示用の映像データに基づく映像の一部分が、表示領域（領域２）に表示される。
上記のような場合において、第５の実施形態における受信装置３１は、ユーザーからの指定に応じて、代替表示用の映像データに基づく映像の表示領域（領域２）に表示される範囲を変更することができる。すなわち、図１８の例示においては、受信装置３１はユーザーからの指定に応じて、代替表示用の映像データに基づく映像の表示範囲を上下に動かすことができる。
上述したように、第５の実施形態に係る受信装置３１の制御部３３１は、自らの受信装置３１の利用者からの指定に応じて、配置情報に基づく表示領域に表示させる第３の映像コンテンツ（代替表示用の映像データに基づく映像）の表示部分を変更させることができる。
【０１１９】
（第６の実施形態）
第６の実施形態においては、受信装置３１が代替表示用の映像データを、外部機器４１または記憶部３２２から取得する際、出力制御部３３１３は、表示領域のアスペクト比と同一のアスペクト比である映像を示す代替表示用の映像データを取得する。そして、出力制御部３３１３は、取得した映像データに基づく映像のサイズを、表示領域のサイズと同一になるようにサイズ調整する。
図１９は、本発明の第６の実施形態に係る受信装置３１が表示する映像の一例を示す概略図である。
【０１２０】
図１９の例示では、表示領域（領域２）とアスペクト比が同一の映像を示す映像データが１つ存在する。受信装置３１はその映像データを外部機器４１から取得する。取得した映像データが示す映像のサイズは、表示領域（領域２）のサイズよりも小さい。よって出力制御部３３１３は、取得した映像データに基づく映像のサイズを、表示領域（領域２）のサイズと同一になるようにサイズを拡大する。それにより、映像データに基づく映像が表示領域（領域２）の全体に表示されることになる。
上述したように、第６の実施形態に係る受信装置３１の制御部３３１は、配置情報に基づく表示領域とアスペクト比が同一である第３の映像コンテンツ（代替表示用の映像データに基づく映像）を、配置情報に基づく表示領域に表示させることができる。
【０１２１】
以上、この発明の実施形態について詳しく説明してきたが、具体的な構成は上述のものに限られることはなく、この発明の要旨を逸脱しない範囲内において様々な設計変更等をすることが可能である。
例えば、上述した実施形態に係る放送システム１は、４Ｋ／８Ｋ映像での放送に係る放送システム、すなわち多重化方式としてＭＭＴを用いる映像システムであるが、これに限られない。例えば、他の実施形態に係る放送システム１は、多重化方式としてＴＳ（Ｔｒａｎｓｐｏｒｔ  Ｓｔｒｅａｍ）を用いる放送システムであってもよい。
【０１２２】
なお、上述した実施形態における受信装置３１の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【０１２３】
なお、ここでいう「コンピュータシステム」とは、受信装置３１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１２４】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１２５】
また、上述した実施形態における受信装置３１、を、ＬＳＩ（Ｌａｒｇｅ Ｓｃａｌｅ Ｉｎｔｅｇｒａｔｉｏｎ）等の集積回路として実現してもよい。受信装置３１の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１２６】
１・・・放送システム、１１・・・送信装置、１１１・・・番組データ取得部、１１３・・・構成情報取得部、１１４・・・多重化部、１１５・・・暗号化部、１１６・・・送信部、１２・・・放送伝送路、１３・・・放送衛星、３１・・・受信装置、３１１・・・受信部、３１２・・・復号部、３１３・・・分離部、３１４・・・音声復号部、３１６・・・再生部、３１７・・・映像復号部（３１７Ａ、３１７Ｂ）、３１８・・・映像合成部、３１９・・・表示部、３２２・・・記憶部、３２３・・・操作入力部、３２４・・・外部接続部、３３１・・・制御部、３３１１・・・配置情報取得部、３３１２・・・比較部、３３１３・・・出力制御部、３３１４・・・外部入力制御部、３３１５・・・通知制御部、３３１６・・・選局制御部
【図１】
0006381465.tif 000002
【図２】
0006381465.tif 000003
【図３】
0006381465.tif 000004
【図４】
0006381465.tif 000005
【図５】
0006381465.tif 000006
【図６】
0006381465.tif 000007
【図７】
0006381465.tif 000008
【図８】
0006381465.tif 000009
【図９】
0006381465.tif 000010
【図１０】
0006381465.tif 000011
【図１１】
0006381465.tif 000012
【図１２】
0006381465.tif 000013
【図１３】
0006381465.tif 000014
【図１４】
0006381465.tif 000015
【図１５】
0006381465.tif 000016
【図１６】
0006381465.tif 000017
【図１７】
0006381465.tif 000018
【図１８】
0006381465.tif 000019
【図１９】
0006381465.tif 000020